(57)【要約】      （修正有）【課題】被介助者の転落を防止するというサイドガードの機能を維持しつつ、載置部がリクライニングされる際に、被介助者の手が挟み込まれるといった危険を排除し、被介助者を安全に移送できる入浴用機器を提供する。【解決手段】第１可動載置部１４ａと、第１可動載置部１４ａの側部に設けられたサイドガード１２ａとを具備し、サイドガード１２ａと他の構造物との間隔を維持するように前記サイドガード１２ａを移動させるサイドガード移動機構２０を備える。【選択図】図６
2015016198.tif 000002
【特許請求の範囲】
【請求項１】
載置部の一部に起立倒伏可能に設けられた可動載置部と、前記可動載置部の側部に設けられ、該可動載置部の起立倒伏に伴い移動するサイドガードとを具備する入浴用機器であって、
前記サイドガードと他の構造物との間隔を維持するように前記サイドガードを移動させるサイドガード移動機構を備える、
ことを特徴とする入浴用機器。
【請求項２】
前記サイドガード移動機構は、前記間隔を維持するように前記サイドガードを回動させるものである、
請求項１に記載の入浴用機器。
【請求項３】
前記サイドガードの外周において前記他の構造物と対向する一部が前記回動中心を円中心とする円形状になっている、
ことを特徴とする請求項２に記載の入浴用機器。
【請求項４】
前記サイドガード移動機構は、前記サイドガードを前記可動載置部の起立倒伏に連動させる連動機構である、
ことを特徴とする請求項１ないし３のいずれか１項に記載の入浴用機器。
【請求項５】
前記載置部において、前記サイドガードと対向する位置に別のサイドガードを具備する、
ことを特徴とする請求項１ないし４のいずれか１項に記載の入浴用機器。
【発明の詳細な説明】
【技術分野】
【０００１】
本発明は、入浴用機器に関するものである。
【背景技術】
【０００２】
従来の入浴用機器、例えば担架には、上半身と下半身それぞれの載置部を長手方向両側に備え、上半身側の載置部は被介助者の背凭れとしてリクライニングして被介助者の上半身を起こせるようにする一方、前記両載置部それぞれに、被介助者の転落防止用のサイドガードを備えたものがある(特許文献１参照)。
【先行技術文献】
【特許文献】
【０００３】
【特許文献１】特許４６６３２６９号公報
【特許文献２】特開２０００−１７５９８５号公報
【発明の概要】
【発明が解決しようとする課題】
【０００４】
上記担架においては、上半身側の載置部を起立させていくと、この起立に伴い、上半身側の載置部に一体で固定されたサイドガードが回転する。これにより、上半身側の載置部のサイドガードは下半身側の載置部のサイドガードに近接し、当該両サイドガードの対向間隔が狭くなってくる。そうすると、上半身側の載置部が起立される前に、当該両サイドガード間に被介助者の手が位置していると、当該被介助者の手が両サイドガードで挟み込まれるおそれがあり、危険である。
【０００５】
この危険を回避するため、例えば両サイドガードの間隔や担架や他の構造物との間隔を被介助者の身体の一部が挟み込まれない位置まで広げる(特許文献２参照)などすれば、被介助者の手が挟み込まれずに、上半身側の載置部をリクライニングさせることができる。しかし、かかるサイドガードでは、被介助者の頭部付近のみしかガードできないので、被介助者の転落やはみ出しを十分防止することはできず、サイドガード本来の機能を発揮することができなくなる。
【０００６】
本発明は、上述の問題点に鑑みてなされたものであり、被介助者の転落やはみ出しを防止するというサイドガードの機能を維持しつつ、載置部がリクライニングされる際に、被介助者の身体の一部が挟み込まれるといった危険を排除し、被介助者を安全に移送できる入浴用機器を提供することを目的としている。
【課題を解決するための手段】
【０００７】
請求項１に記載の発明は、載置部の一部に起立倒伏可能に設けられた可動載置部と、前記可動載置部の側部に設けられ、該可動載置部の起立倒伏に伴い移動するサイドガードとを具備する入浴用機器であって、前記サイドガードと他の構造物との間隔を維持するように前記サイドガードを移動させるサイドガード移動機構を備える、ことを特徴とする。
【０００８】
この発明によれば、サイドガードは、可動載置部が起立倒伏と共に移動しても、サイドガード移動機構により、サイドガードと他の構造物との間隔が維持するように前記サイドガードを移動するので、可動載置部が起立倒伏される際に、被介助者が前記隙間で手が挟み込まれるという危険がなくなり、安全である。前記他の構造物は、前記サイドガード以外の他の入浴用機器部分を含む。
【０００９】
請求項２に記載の発明は、前記サイドガード移動機構は、前記間隔が維持するように前記サイドガードを回動させるものである。
【００１０】
この発明によれば、前記サイドガード移動機構が前記間隔を維持するように前記サイドガードを回動させるので、前記隙間を一定に保つことができ、安全である。
【００１１】
請求項３に記載の発明は、前記サイドガードの外周において前記他の構造物と対向する一部が前記回動中心を円中心とする円形状になっている。
【００１２】
この発明によれば、前記サイドガードの外周の一部が円形状になっているので、当該一部と対向する前記他の構造物との前記隙間を一定に保つことができ、危険がより低くなって一層安全である。
【００１３】
請求項４に記載の発明は、前記サイドガード移動機構は、前記サイドガードを前記可動載置部の起立倒伏に連動させる連動機構である。
【００１４】
この発明によれば、前記連動機構により前記サイドガードは他の構造物との隙間がほぼ一定に保たれ移動するので、可動載置部が起立倒伏される際に、被介助者が前記隙間で手が挟み込まれるという危険がなくなり、安全である。また、可動載置部と、サイドガードを別個に操作する必要がないので、介助者の手間が少なく負担とならない。
【００１５】
前記連動機構は、前記可動載置部及び前記サイドガードの内の一方に設けられた長穴と、前記可動載置部及び前記サイドガードの内の他方に設けられて前記長穴に沿って挿通する突出部材とを含み、前記可動載置部の起立倒伏と共に前記突出部材が前記長穴内を移動する機構としてもよいし、前記可動載置部と前記サイドガードとを平行リンク機構を介して連結してもよい。
【００１６】
こうすれば連動機構を簡素化でき、コストダウンができる。
【００１７】
請求項５に記載の発明は、前記載置部において、前記サイドガードと対向する位置に別のサイドガードを具備する。
【００１８】
この発明によれば、前記サイドガードに対向する位置に前記別のサイドガードが配備され、当該サイドガードが前記可動載置部の起立倒伏に伴い回転しても、当該サイドガードと前記別のサイドガードとの距離は一定に維持される結果、被介助者が前記隙間で手が挟み込まれるという危険がなくなり、安全であることに加えて、サイドガードが少なくとも２つ設けられるので、被介助者の身体のより多くの部分をサイドガードでガードすることができ、転落防止効果が高まる。
【発明の効果】
【００１９】
本発明によれば、被介助者の転落を防止するサイドガードの機能を維持しつつ、身体の一部が挟み込まれるといった危険を排除し、被介助者が安全に搬送できる入浴用機器を提供できる。
【図面の簡単な説明】
【００２０】
【図１】本発明の実施形態に係る担架を備えた入浴用機器の斜視図である。
【図２】図１の入浴用機器の側面図である。
【図３】本発明の実施形態に係り、入浴用機器が備える担架の正面図であり、第１及び第２可動載置部が共に水平姿勢状態にある担架を示す。
【図４】図３の要部の拡大図であり、円Ｓ内に図中のＡ−Ａ断面図を示す。
【図５】本発明の実施形態に係り、入浴用機器が備える担架の正面図であり、第１可動載置部が起立状態にある担架を示す。
【図６】図５の要部の拡大図である。
【図７】本発明の実施形態の変形例であり、（ａ）は第１可動載置部が水平姿勢の状態、（ｂ）は第１可動載置部が起立している状態を示す図である。
【図８】本発明の実施形態の別の変形例であり、（ａ）は第１可動載置部が水平姿勢の状態、（ｂ）は第１可動載置部が起立している状態を示す図である。
【発明を実施するための形態】
【００２１】
以下、添付した図面を参照して、本発明の実施形態に係る入浴用機器を説明する。
【００２２】
図１及び図２を参照して、入浴用機器１は、ストレッチャー２と、担架３とから構成される。ストレッチャー２は、台車部４と、担架昇降機構５とを有する。
【００２３】
台車部４は、４つのフレーム６〜９が矩形状に枠組みされると共に、フレーム６〜８の下面に車輪６ａ，６ｂ,７ａ，８ａが設けられて構成されている。
【００２４】
担架昇降機構５は、フレーム６の長手方向中央部に垂直に立設された昇降ガイド柱部５ａと、該昇降ガイド柱部５ａに外挿された昇降筒部５ｂとを有する。昇降筒部５ｂは、昇降ガイド柱部５ａに沿って昇降することができる。昇降筒部５ｂは、例えばモータ（図示省略）を含む駆動装置により昇降ガイド柱部５ａに沿って昇降駆動される。
【００２５】
昇降筒部５ｂの上端側に取付用部材５ｃが担架３方向に突出して設けられている。取付用部材５ｃには水平方向平行に一対の手摺５ｄが延設されている。また、取付用部材５ｃには担架３方向とは反対方向にＬ形状の入浴用機器操作部材(ハンドル)５ｅが設けられている。
【００２６】
入浴用機器１は、入浴用機器操作部材５ｅを操作することにより、台車部４を任意の方向に移動させ、これにより担架３を搬送することができる。担架３には、支持フレーム１０が固定されている。支持フレーム１０は、一対のＬ形状のフレーム部１０ａ，１０ｂと、水平フレーム部１０ｃとからなる。一対のＬ形状のフレーム部１０ａ，１０ｂはその上端側が水平フレーム部１０ｃで連結されると共に、その下端側が担架３の下部に入り込むことで、担架３を支持している。
【００２７】
担架３は、担架昇降機構５により、図２中矢印Ａ方向に昇降する。位置Ｐ１から位置Ｐ２に下降することで、位置Ｐ２にある浴槽(図示省略)に担架３を浸漬させて被介助者を入浴させることができる。
【００２８】
担架３は、長手方向に延びる載置部１１と、載置部１１の一方の側部に設けられた第１及び第２サイドガード１２ａ，１２ｂと、載置部１１の他方の側部において該他方の側部とは別体とされた第３及び第４サイドガード１３ａ，１３ｂとを具備する。
【００２９】
図３〜図６において、載置部１１は、長手方向両側に第１及び第２可動載置部１４ａ，１４ｂを有すると共に、両第１及び第２可動載置部１４ａ，１４ｂの長手方向中間に非可動載置部(基部)１４ｃが設けられて構成される。
【００３０】
第１、第２載置部１４ａ，１４ｂは共に非可動載置部(基部)１４ｃに対して起立倒伏つまりリクライニングが可能である。
【００３１】
第１及び第２可動載置部１４ａ，１４ｂは、それぞれ、非可動載置部(基部)１４ｃの両側に設けられた第１回転軸１４ｄ，１４ｅに回転可能に軸支され、第１回転軸１４ｄ，１４ｅを回転中心として矢印Ｂ，Ｃ方向に起立倒伏してリクライニングできるようになっている。
【００３２】
図示される担架３は、第１可動載置部１４ａに枕部１５が設置されて、被介助者(図示省略)の頭部が枕部１５上に載置されると共に、該被介助者の上半身側が第１可動載置部１４ａに、下半身側が第２可動載置部１４ｂに、また、腰部近傍が非可動載置部(基部)１４ｃに載置され、第１可動載置部１４ａの起立倒伏により被介助者は上半身がリクライニングされる。非可動載置部(基部)１４ｃには、支持フレーム１０が固定されている。尚、第１可動載置部１４ａと第２可動載置部１４ｂは対称になっており、枕部１５を第２可動載置部１４ｂに取り付ければ、上半身側と下半身側を入れ替えて使用することができるようになっている。
【００３３】
第１サイドガード１２ａは、自身の外周部１２ａ１より内側部位において、支持フレーム１０の一方のフレーム部１０ａに設けた回転軸１０ｄに軸支され、第２サイドガード１２ｂは、自身の外周部１２ｂ１より内側部位において支持フレーム１０の他方のフレーム部１０ｂに設けた回転軸１０ｅに軸支されている。
【００３４】
第１サイドガード１２ａは、第１可動載置部１４ａにサイドガード移動機構として第１連動機構２０を介して接続されている。第１可動載置部１４ａは、非可動載置部(基部)１４ｃに設けた回転軸１４ｄを回転中心として矢印Ｂ方向に起立倒伏可能になっている。
【００３５】
第２サイドガード１２ｂは、第２可動載置部１４ｂにサイドガード移動機構として第２連動機構２１を介して接続されている。第２可動載置部１４ｂは、非可動載置部(基部)１４ｃに設けた回転軸１４ｅを回転中心として矢印Ｃ方向に起立倒伏可能になっている。
【００３６】
第１サイドガード１２ａにおいて、第２サイドガード１２ｂと対向する外周面１２ａ１は、回転軸１０ｄを円中心とした円形状になっている。第１連動機構２０は、第１サイドガード１２ａに取り付けた長穴２０ａ１付きの板状部材２０ａと、突出部材であるピン２０ｂ１が突設された板状部材２０ｂとから構成される。なお、第１可動載置部１４ａ及び第２可動載置部１４ｂの下面には、これらを倒伏方向に付勢する付勢バネ１４ａ１，１４ｂ１が設けられている。
【００３７】
板状部材２０ａの長穴２０ａ１には、板状部材２０ｂのピン２０ｂ１が挿通されている。
【００３８】
同様に、第２サイドガード１２ｂにおいて、第１サイドガード１２ａと対向する外周面１２ｂ１は、回転軸１０ｅを円中心とした円形状になっている。第２連動機構２１は、第２サイドガード１２ｂに取り付けた長穴２１ａ１付きの板状部材２１ａと、ピン２１ｂ１が突設された板状部材２１ｂとから構成される。
【００３９】
板状部材２１ａの長穴２１ａ１には、板状部材２１ｂのピン２１ｂ１が挿通されている。
【００４０】
図３及び図４に示すように、第１可動載置部１４ａが起立されていない水平姿勢のとき、第１サイドガード１２ａの外周部１２ａ１と、第２サイドガード１２ｂの外周部１２ｂ１との対向間隔をｄとする。
【００４１】
次に、第１可動載置部１４ａが回転軸１４ｄを回転中心として図３及び図４の水平姿勢の状態から図５及び図６に示すように起立されたときにおいても、その外周部１２ａ１と、第２サイドガード１２ｂの外周部１２ｂ１との対向間隔は前記と同一の間隔ｄに維持される。この場合、第１連動機構２０においては、ピン２０ｂ１は長穴２０ａ１により図３及び図４の図示右側の位置から図５及び図６の図示左側方向にガイドされる。
【００４２】
以上の実施形態によれば、第１サイドガード１２ａは、第１可動載置部１４ａが起立倒伏しても、第１サイドガード１２ａの外周部分１２ａ１が回転軸１０ｄの回転中心を円中心とする円形状になっているので、第１可動載置部１４ａを回転させても、第１サイドガード１２ａと第２サイドガード１２ｂとの間隔が一定の間隔ｄに保たれると同時に、第１、第２サイドガード１２ａと非可動載置部１４ｃとの間隔も保たれるため、第１可動載置部１４ａを起立倒伏させても被介助者の手が第１及び第２サイドガード１２ａ，１２ｂの隙間や、第１サイドガード１２ａと非可動載置部１４ｃの隙間で挟み込まれるという危険がなくなり、安全である。前記では、第１サイドガード１２ａの外周部は円形の一部であったが、間隔ｄが保持される形状であれば、円形に限定されず、矩形の一部や五角形以上の多角形の一部であってもよい。
【００４３】
上記では、第１サイドガード１２ａの回転中心と第１可動載置部１４ａの回転中心を一致させない場合は、第１連動機構２０を備える必要があるが、第１サイドガード１２ａの回転中心と第１可動載置部１４ａの回転中心を一致させる場合は、第１連動機構２０は必要としない。
【００４４】
同様に第２サイドガード１２ｂの回転中心と第２可動載置部１４ｂの回転中心とを一致させない場合は、第２連動機構２１を備える必要があるが、第２サイドガード１２ｂの回転中心と第２可動載置部１４ｂの回転中心とを一致させる場合は、第２連動機構２１は必要としない。
【００４５】
例えば、図７（ａ）及び（ｂ）に示すように、第１可動載置部１４ａと第１サイドガード１２ａそれぞれが、共に、回転軸２２で一体回転するように構成して第２サイドガード１２ｂの回転中心と第２可動載置部１４ｂの回転中心とを一致させた場合であっても、外周部１２ａを第１可動載置部１４ａが回転しても間隔ｄが狭くならない円形状とすることで、第１可動載置部１４ａが図７（ａ）の位置から起立倒伏し、図７（ｂ）に示すようにリクライニングしても、第１サイドガード１２ａの外周部１２ａ１と第２サイドガード１２ｂの外周部１２ｂ１との間隔は、図７（ａ）においても、図７（ｂ）においても、一定の間隔ｄに保持される。尚、本実施態様では第１、第２サイドガード１２ａ、１２ｂと非可動載置部１４ｃの隙間は第１、第２サイドガード１２ａ、１２ｂで塞いでいるため隙間が存在せず手を挟まない構造になっている。
【００４６】
サイドガード移動機構として先に述べた実施形態の第１、第２連動機構２０，２１に代えて、図８に示すように第１、第２サイドガード１２ａ，１２ｂそれぞれにリンク３０ａ，３０ｂを設け、第１、第２サイドガード１２ａ側では、第３連動機構として回転軸１０ｄ，１４ｄ，３０ａ１，３０ａ２を一点鎖線で結ぶ第１平行リンク機構と、第４連動機構として第２サイドガード１２ｂ側では回転軸１０ｅ，１４ｅ，３０ｂ１，３０ｂ２を一点鎖線で結ぶ第２平行リンク機構とすることで、図８（ａ）に示すように第１、第２可動載置部１４ａ，１４ｂが水平姿勢の場合でも、また図８（ｂ）に示すように第１可動載置部１４ａが起立している場合でも、第１、第２サイドガード１２ａ，１２ｂの間隔を、一定の間隔ｄに維持できるようにしてもよい。
【００４７】
本発明は上述の実施形態に限定されるものではなく、その趣旨を逸脱しない範囲内で種々適宜に変更可能である。入浴用機器は昇降式のストレッチャーであっても、非昇降式のストレッチャーであっても同様に実施できるのはいうまでもない。同様に、担架をストレッチャーに載せて搬送し、ストレッチャーを浴槽に横付けした後、担架のみを担架支持台の上方に移動させて、浴槽を昇降機構により上昇させて被介助者を浴湯に浸漬し入浴させる介護用の入浴装置の担架であってもよく、入浴用の車椅子型のストレッチャーであっても同様に実施できるのはいうまでもない。
【符号の説明】
【００４８】
１  入浴用機器
２  ストレッチャー
３  担架
４  台車部
５  担架昇降機構
１１  載置部
１２ａ  第１サイドガード
１２ａ１  外周部
１２ｂ  第２サイドガード
１２ｂ１  外周部
１４ａ  第１可動載置部
１４ｂ  第２可動載置部
１４ｃ  非可動載置部(基部)
２０  第１連動機構
２１  第２連動機構
２０ａ  長穴２０ａ1付きの部材
２０ｂ  ピン２０ｂ１突設の部材
【図１】
2015016198.tif 000003
【図２】
2015016198.tif 000004
【図３】
2015016198.tif 000005
【図４】
2015016198.tif 000006
【図５】
2015016198.tif 000007
【図６】
2015016198.tif 000008
【図７】
2015016198.tif 000009
【図８】
2015016198.tif 000010